(57)【要約】【課題】  分類の各階層の内容を略一目で把握できて、特許情報の分析作業の効率向上と分析結果の信頼性向上を同時に図り得る特許分類記憶媒体及び特許分類表示装置を提供する。【解決手段】  記憶手段に多数の分類の技術的説明文から抽出された技術的な用語もしくは技術的な文章が階層順に羅列状態で記憶されると共に、該記憶手段に記憶された羅列状態の用語もしくは文章が入力手段で指定された分類に応じて読み出されて表示手段に表示されることを特徴とする。前記表示手段は、複数の用語もしくは文章の組み合わせが論理記号を用いて表示されたり、所定の記号で改行されたり連続表示される。【選択図】  図４
2005165863.tif 000002
【特許請求の範囲】
【請求項１】
多数の分類の技術的説明文から抽出された技術的な用語もしくは技術的な文章が階層順に羅列状態で記憶されると共に、該記憶された羅列状態の用語もしくは文章が指定された分類に応じて読み出し可能に構成されていることを特徴とする特許分類記憶媒体。
【請求項２】
記憶手段、入力手段及び表示手段を備え、前記記憶手段に多数の分類の技術的説明文から抽出された技術的な用語もしくは技術的な文章が階層順に羅列状態で記憶されると共に、該記憶手段に記憶された羅列状態の用語もしくは文章が前記入力手段で指定された分類に応じて読み出されて前記表示手段に表示されることを特徴とする特許分類表示装置。
【請求項３】
前記表示手段は、複数の用語もしくは文章の組み合わせが論理記号を用いて表示されることを特徴とする請求項２に記載の特許分類表示装置。
【請求項４】
前記表示手段は、用語もしくは文章が所定の記号で改行されたり所定の記号を介して連続表示されることを特徴とする請求項２または３に記載の特許分類表示装置。
【請求項５】
前記記憶手段に抽出された羅列状態の用語もしくは文章が階層順を保って複数の形態で記憶され、該複数の形態が前記入力手段で選択されて表示手段に表示されることを特徴とする請求項２ないし４のいずれかに記載の特許分類表示装置。
【発明の詳細な説明】
【技術分野】
【０００１】
本発明は、特許情報に付与される特許分類の技術（内容）説明文章を見易い形態で表示可能な特許分類記憶媒体及び特許分類表示装置に関する。
【背景技術】
【０００２】
一般的に、特許庁から発行されるＣＤ−ＲＯＭ特許公報等の特許公報には、その全てに特許分類としての国際特許分類（ＩＰＣ）が付与されており、特許情報を分析する場合、このＩＰＣを検索条件として、多数の特許情報群の中から対象特許情報を抽出することが行われている。このＩＰＣは、セクション、クラス、サブクラス、メイングループまたはサブグループの組み合わせで構成され、「・」によってその階層関係を表わすようにしたものである。
【０００３】
従来、このようなＩＰＣの技術内容を確認する場合には、冊子状に印刷等された分類表を使用して行っている。すなわち、例えば図６に示すように、サブクラス「Ｇ１１Ｂ」の内容を確認する場合は、サブクラス１０１である「Ｇ１１Ｂ」のページを開き、その技術的説明文を確認したり、サブクラス１０１の下部に「・」を介して行毎に記載されたメイングループ１０２である「７／００」や複数のサブグループ１０３である「７／０８」等の技術的説明文を確認するようにしている。なお、ＩＰＣ自体に関する特許文献は存在しないがキーワードからＩＰＣを検索する方法に関するものとして、例えば特許文献１が提案されている。
【特許文献１】特開平１１−３２８１９２号公報
【発明の開示】
【発明が解決しようとする課題】
【０００４】
しかしながら、このような分類表においては、冊子状に形成されているため、メイングループ１０２とサブグループ１０３の数が多く複数のページに跨っているサブクラス１０１等の場合に、「・」で示されるサブグループ１０３上位のメイングループ１０２やサブクラス１０１の内容確認が非常に面倒となる。特に、複数のページに跨っているクラスやサブクラス１０１が比較的多く、複数のＩＰＣを検索する場合に、その作業が一層面倒になると共に、特許マップ表示装置等を使用したオンラインでの検索作業中にＩＰＣの内容を確認したい場合等に、確認作業に時間が掛かることになり、これらのことから検索作業の効率が劣ると共に、検索結果の信頼性を十分に高めることが難しいという問題点を有している。
【０００５】
本発明は、このような事情に鑑みてなされたもので、その目的は、分類の各階層の内容を略一目で把握できて、特許情報の分析作業の効率向上と分析結果の信頼性向上を同時に図り得る特許分類記憶媒体及び特許分類表示装置を提供することにある。
【課題を解決するための手段】
【０００６】
かかる目的を達成すべく、本発明のうち請求項１に記載の特許分類記憶媒体は、多数の分類の技術的説明文から抽出された技術的な用語もしくは技術的な文章が階層順に羅列状態で記憶されると共に、該記憶された羅列状態の用語もしくは文章が指定された分類に応じて読み出し可能に構成されていることを特徴とする。
【０００７】
また、請求項２に記載の特許分類表示装置は、記憶手段、入力手段及び表示手段を備え、前記記憶手段に多数の分類の技術的説明文から抽出された技術的な用語もしくは技術的な文章が階層順に羅列状態で記憶されると共に、該記憶手段に記憶された羅列状態の用語もしくは文章が前記入力手段で指定された分類に応じて読み出されて前記表示手段に表示されることを特徴とする。
【０００８】
そして、前記表示手段は、請求項３に記載の発明のように、複数の用語もしくは文章の組み合わせが論理記号を用いて表示されることが好ましい。また、前記表示手段は、請求項４に記載の発明のように、用語もしくは文章が所定の記号で改行されたり所定の記号を介して連続表示されることが好ましい。さらに、請求項５に記載の発明のように、前記記憶手段に抽出された羅列状態の用語もしくは文章が階層順を保って複数の形態で記憶され、該複数の形態が前記入力手段で選択されて表示手段に表示されることが好ましい。
【発明の効果】
【０００９】
請求項１に記載の発明によれば、ＩＰＣ等の特許分類のサブクラス等の分類の内容が、階層順に羅列状態の技術的な用語や技術的な文章によって記憶され、これが読み出し可能に構成されているため、記憶媒体から読み出される分類が複数のページに跨ることがなくなると共に、前から階層順に並べられているため、上位概念から下位概念へと読み進めることができて、分類を簡潔かつ見易い状態で例えば表示等して分析作業者に視認させることができ、特許情報の分析作業を効率的に行うことができると共に分析結果の信頼性の向上を図ることができる。
【００１０】
また、請求項２に記載に発明によれば、ＩＰＣ等の特許分類のサブクラス等の分類の内容が、階層順に羅列状態の技術的な用語や技術的な文章によって記憶手段に記憶され、これが入力手段の指定により読み出されて表示手段に表示されるため、記憶手段から読み出される分類が複数のページに跨ることがなくなると共に、前から階層順に並べられているため、上位概念から下位概念へと読み進めることができて、分類を簡潔かつ見易い状態で表示することができ、特許情報の分析作業を効率的に行うことができると共に分析結果の信頼性の向上を図ることができる。
【００１１】
また、請求項３に記載の発明によれば、請求項２に記載の発明の効果に加え、表示手段に複数の用語もしくは文章の組み合わせが論理記号を用いて表示されるため、羅列状態の用語や文章を短くできると共に、接続語等を論理記号で用語等と明確に識別表示できて、分類を一層見易い状態で表示することができる。
【００１２】
また、請求項４に記載の発明によれば、請求項２または３に記載の発明の効果に加え、表示手段に用語もしくは文章が所定の記号で改行されたり連続表示されるため、例えば「／」等の記号で改行することにより、比較的長い文章を見易く表示できたり、また、「／」等の記号を介して連続表示することにより、分類の内容を短く表示できて、多数のサブグループ等を有する分類の内容を一目で容易に把握することができる。
【００１３】
また、請求項５に記載の発明によれば、請求項２ないし４に記載の発明の効果に加え、抽出された羅列状態の用語もしくは文章が階層順を保って複数の形態で記憶手段に記憶され、これが入力手段で選択されて表示手段に表示されるため、例えば比較的長い文章による表示形態や用語のみによる表示形態等の複数の形態を選択して表示でき、分析作業者の分類理解度や分析作業の内容等に応じて適宜の表示形態を使用でき、使い勝手と操作性に優れた特許分類表示装置を得ることができる。
【発明を実施するための最良の形態】
【００１４】
以下、本発明の実施の形態を図面に基づいて詳細に説明する。
図１〜図５は、本発明に係わる特許分類表示装置を例えばパソコンを使用して構築した場合の一実施形態を示し、図１がそのブロック図、図２が入力画面の説明図、図３〜図５が表示画面の説明図である。
【００１５】
図１において、特許分類表示装置１は、ＣＰＵ３、ＲＡＭ４、ＲＯＭ５及びＩ／Ｏ６等がバスライン７を介して接続された制御装置２を有し、この制御装置２のＩ／Ｏ６の入力側には、入力手段としてのキーボード８及びマウス９と、ＣＤ−ＲＯＭドライブ１０が接続され、Ｉ／Ｏ６の出力側には、表示手段としてのＣＲＴ（液晶ディスプレイを含む）からなる表示器１１と、プリンタ１２等が接続されている。
【００１６】
この特許分類表示装置１は、制御装置２の記憶手段としてのＲＯＭ５やＲＡＭ４に、ＣＤ−ＲＯＭドライブ１０にセットされた特許分類記憶媒体としての特許分類ＣＤ−ＲＯＭ１３に記憶されているＩＰＣが読み込まれて記憶されると共に、ＣＤ−ＲＯＭドライブ１０にセットされた特許情報分析ＣＤ−ＲＯＭ１５の分析プログラムが読み込まれて予め記憶されている。
【００１７】
そしてこの状態で、ＣＤ−ＲＯＭドライブ１０にセットされている例えばＣＤ−ＲＯＭ特許公報１４の特許情報が、キーボード８やマウス９で入力された検索条件に基づいて検索（抽出）され、この抽出された各種特許情報が、制御装置２のＣＰＵ３に読み込まれ前記分析プログラムにしたがってデータ集計され、例えば特許マップが作成されて表示器１１の画面１１ａに表示されたり、あるいはプリンタ１２で印刷されるようになっている。
【００１８】
図２は、前記ＲＯＭ５等に記憶されている特許分類ＣＤ−ＲＯＭ１３のＩＰＣを、前記表示器１１の画面１１ａ上に表示する際に使用される入力画面の一例を示している。この入力画面１６は、ＩＰＣ入力欄１６ａと、３つの表示形態１〜３を指定する表示形態指定欄１６ｂを有し、ＩＰＣ入力欄１６ａは、ＩＰＣのクラス、サブクラス、メイングループあるいはサブグループがキーボード８によって入力されるようになっている。また、表示形態指定欄１６ｂは、３つの表示形態１〜３の所定形態をマウス９でクリックすることにより、所定の表示形態が指定されるようになっている。なお、この入力画面１６は、基本的構成を示すものであって、前記分析プログラムに一体的に組み込むことで、その表示に合わせた入力画面を採用することもできる。
【００１９】
この入力画面１６でＩＰＣを入力し所定の表示形態をクリックすると、制御装置２のＣＰＵ３によりＲＯＭ５等に記憶されている特許分類ＣＤ−ＲＯＭ１３のＩＰＣが読み出され、入力されたＩＰＣの分類内容が表示器１１の画面１１ａに、例えば図３〜図５に示す表示画面１７として表示される。以下、この表示例を、指定されたＩＰＣが図６に示す「Ｇ１１Ｂ  ７／０９」である場合を例にして説明する。
【００２０】
先ず、入力画面１６で表示形態１が指定された場合は、図３に示すように、表示画面１７の分類表示欄１７ａに指定されたＩＰＣが表示されると共に、この分類表示欄１７ａの下部の分類内容表示欄１７ｂに、７／０９より上位のサブグループやサブクラスの分類説明文から、所定の手順で抽出された文章１８ａ〜１８ｄが「／」の記号２２で改行された状態で表示される。
【００２１】
この時、サブクラスの文章１８ａは、当該分類のＩＰＣに規定されている図６に示す説明文（基礎文章という）の「（」の文字２４以下の文章を削除した文章が抽出されて使用され、サブグループの文章１８ｂ〜１８ｄは、基礎文章の「例」の文字２５以下の文章が抽出されて使用される。そして、このようにした抽出されたサブグループの文章１８ｂ〜１８ｄの頭に「／」の記号２２を位置させた状態で、かつ階層順に部分抽出（切り出し）順序を守って上下方向（縦方向）に羅列することにより、表示形態１として表示される。
【００２２】
また、入力画面１６で表示形態２が指定された場合は、図４に示すように、分類表示欄１７ａ下部の分類内容表示欄１７ｂに、７／０９より上位のサブグループやサブクラスの表示形態１で抽出された文章から、所定の手順で抽出された文章もしくは用語１９ａ〜１９ｄが「／」の記号２２で横方向に抽出（切り出し）順序をくずさずに連続した羅列状態で表示される。この時、サブクラスやサブグループの文章もしくは用語１９ａ〜１９ｄは、表示形態１の文章１８ａ〜１８ｄから技術的用語が抽出されたものが使用されると共に、「または」が「∨」で「および」が「∧」の論理記号２１に変換されて表示される。これにより、表示形態１の文章から短くなった文章もしくは用語１９ａ〜１９ｄと論理記号２１とを組み合わせた文章が、「／」の記号２２で横方向に羅列された状態で、表示形態２として表示される。
【００２３】
さらに、入力画面１６で表示形態３が指定された場合は、図５に示すように、分類表示欄１７ａ下部の分類内容表示欄１７ｂに、７／０９より上位の基礎文章から、「例」の記載がある場合はその文章を、また「例」の記載がない場合は基礎文章を、それぞれ所定の手順で短縮化した文章もしくは用語２０ａ〜２０ｄが「／」の記号２２で抽出順番にしたがって横方向に連続した羅列状態で表示される。この時、「例」の記載のある文章もしくは用語２０ｂ、２０ｄの場合は、最後に「ｅｔｃ．」なる文字２３を付してその旨を明示し、これにより、表示形態２と同様に、短い文章もしくは用語２０ａ〜２０ｄと「ｅｔｃ．」の文字２３を組み合わせた文章が、「／」の記号２２で横方向に、サブクラス、メイングループ、サブグループ、１ドット、２ドット、３ドット・・・と抽出される順序に羅列された状態で、表示形態３として表示される。
【００２４】
ところで、基礎文章から表示形態１への文章の抽出、表示形態１から表示形態２への文章や用語の抽出、あるいは基礎文章から表示形態３への文章や用語の抽出は、抽出すべき用語や文章を予め設定したり前述したように削除する文章等を予め設定すること等により、特許分類ＣＤ−ＲＯＭ１３に記憶されている抽出プログラムにしたがって自動的に抽出するようにしても良いし、手作業によって抽出し、この抽出した文章や用語を特許分類ＣＤ−ＲＯＭ１３（もしく特許分類ＭＤ等）に記憶させるようにしても良い。
【００２５】
この時、自動的に抽出するように構成した場合は、抽出プログラムを特許分類ＣＤ−ＲＯＭ１３から読み出し、これを制御装置２のＲＯＭ５等に記憶させることにより、特許情報分析ＣＤ−ＲＯＭ１５で読み込んだ分析プログラムと一体化して使用することができる。また、予め特許分類ＣＤ−ＲＯＭ１３に手作業で抽出した表示形態（文章や用語）が記憶されている場合は、この特許分類ＣＤ−ＲＯＭ１３から３つの表示形態を制御装置２に読み込んでＲＯＭ５等に記憶させることで、分析プログラムと一体化して使用することができる。
【００２６】
そして、この分析プログラムと一体化して使用する場合は、所定の表示形態を指定することで、分類内容が短い文章や用語等として表示できることから、表示器１１の画面１１ａの例えば一部に表示できて、画面１１ａ全体を使用したり作業者が複数の画面１１ａ（ページ）を見る必要性がなくなる等、特許情報の分析作業時のＩＰＣの確認作業が効率的に行えることになる。勿論、単にＩＰＣの内容自体を確認する際にも、複数の画面１１ａ（ページ）に跨ることがなくなって、一つの画面１１ａ上で分類内容を略一目で把握できることになる。
【００２７】
このように、上記実施形態の特許分類表示装置１によれば、ＩＰＣのサブクラスやサブグループ等の分類内容が、羅列状態の比較的短い技術的な用語や技術的な文章によって構成され、これが表示器１１の画面１１ａに表示されるため、分類内容が複数のページに跨るようなことがなくなり、サブクラスやサブグループ等の分類内容を、複数階層の場合でも数頁に亘って見なくても一目で把握できる簡潔で見易い状態の表示状態とすることができる。その結果、例えば分析プログラムによる特許情報の分析作業時等に、ＩＰＣの内容を簡単かつ素早く確認することができて、分析作業自体を効率的に行うことができると共に、分析結果の信頼性の向上も同時に図ることができる。
【００２８】
また、表示器１１に複数の用語もしくは文章の組み合わせが論理記号２１を用いて表示されるため、羅列状態の用語や文章を一層短くできると共に、接続語等を論理記号２１で文章や用語と明確に識別表示でき、分類内容を一層見易い状態で表示することができる。また、表示器１１に用語もしくは文章が「／」の記号２２で改行されたり連続表示されるため、比較的長い文章を見易く表示できたり用語等を連続表示できて、分類項目を所定の表示形態で効果的な表示を得ることができ、これにより、分類項目の把握を一層簡単かつ的確に行うことが可能となる。
【００２９】
さらに、抽出された羅列状態の用語もしくは文章が表示形態１〜３の複数の形態で表示器１１に表示されるため、例えば比較的長い文章による表示形態や用語のみによる表示形態等の複数の表示形態１〜３を選択して表示でき、分析作業者の分類理解度や分析作業の内容等に応じて最適な表示形態を使用できて、使い勝手と操作性に優れた特許分類表示装置１を得ることが可能となる。
【００３０】
また、予め分類内容を表示形態１〜３で表示し得る記憶媒体としての特許分類ＣＤ−ＲＯＭ１３を作成することにより、この特許分類ＣＤ−ＲＯＭ１３を使用して既設のパソコンに特許分類表示装置１を簡単に構築できて、従来のような冊子状の分類表を使用することなく、各種の特許情報の分析作業に気軽に使用できると共に、ＩＰＣの理解のための補助用や教育用としても好適に使用することが可能となる。
【００３１】
なお、上記実施形態においては、表示器１１に表示される形態が表示形態１〜３の３つである場合について説明したが、本発明はこれに限定されず、例えば表示形態２や表示形態３のいずれか一つのみを表示させたり、４つ以上の表示形態で表示させるようにしても良い。また、表示形態１で表示されている所定位置をクリックした際に、それより下位のもしくは上位の分類内容を短縮化等して表示させる構成とすることもできるし、上記例における記号２１〜２３も一例であって、他の適宜の記号を使用することができる。
【産業上の利用可能性】
【００３２】
本発明は、特許分類としてＩＰＣに限らず、例えば各国固有の特許分類にも適用することができる。
【図面の簡単な説明】
【００３３】
【図１】本発明に係わる特許分類表示装置の一例を示すブロック図
【図２】同その入力画面の説明図
【図３】同その表示画面の説明図
【図４】同他の表示画面の説明図
【図５】同さらに他の表示画面の説明図
【図６】従来のＩＰＣの説明図
【符号の説明】
【００３４】
１：特許分類表示装置
２：制御装置
３：ＣＰＵ
４：ＲＡＭ
５：ＲＯＭ
７：Ｉ／Ｏ
８：キーボード
９：マウス
１０：ＣＤ−ＲＯＭドライブ
１１：表示器
１１ａ：画面
１３：特許分類ＣＤ−ＲＯＭ
１４：ＣＤ−ＲＯＭ特許公報
１５：特許情報分析ＣＤ−ＲＯＭ
１６：入力画面
１６ａ：ＩＰＣ入力欄
１６ｂ：表示形態指定欄
１７：表示画面
１７ａ：ＩＰＣ表示欄
１７ｂ：分類内容表示欄
１８ａ〜１８ｄ：文章
１９ａ〜１９ｄ、２０ａ〜２０ｄ：文章もしくは用語
２１：論理記号
２２、２３：記号
【図１】
2005165863.tif 000003
【図２】
2005165863.tif 000004
【図３】
2005165863.tif 000005
【図４】
2005165863.tif 000006
【図５】
2005165863.tif 000007
【図６】
2005165863.tif 000008